(57)【要約】【課題】複数の加熱部に対して単一の操作部で加熱調理を行うための条件を入力でき、操作性の良い誘導加熱装置を提供すること。【解決手段】被加熱物４１１、４１２を載置するトッププレート４０上の被加熱物４１１、４１２を誘導加熱する複数の加熱手段４４１、４４２と、被加熱物の有無を検知し、使用する加熱手段を選定する検知手段４７１、４７２と、検知手段４７１、４７２で選定した加熱手段４４１、４４２で加熱調理を行うための条件を入力する単一の操作手段４２と、選定された加熱手段４４１、４４２への高周波電流の供給を制御して加熱制御を行う制御手段４５とを備えることで、操作性が良く、かつ単一の操作手段で複数の加熱手段の加熱調理を行うための条件入力を可能としたものである。【選択図】図２
2010244824.tif 000002
【特許請求の範囲】
【請求項１】
被加熱物を載置するトッププレートと、前記トッププレート上の被加熱物を誘導加熱する複数の加熱手段と、被加熱物の有無を検知し、使用する加熱手段を選定する検知手段と、前記検知手段で選定した加熱手段で加熱調理を行うための条件を入力する単一の操作手段と、選定された前記加熱手段への高周波電流の供給を制御して加熱制御を行う制御手段とを備えた誘導加熱装置。
【請求項２】
使用する加熱手段を任意に選定する選定手段を備えた請求項１に記載の誘導加熱装置。
【請求項３】
選定した加熱手段を表示するための表示手段を備えた請求項１または２に記載の誘導加熱装置。
【請求項４】
選定した加熱手段に対して、加熱調理を行うために入力された条件を記憶しておく記憶手段を備えた請求項１〜３のいずれか１項に記載の誘導加熱装置。
【請求項５】
検知手段は、誘導加熱装置への入力電流と、共振用コンデンサの電圧に基づいて、被加熱物の有無を検知する請求項１〜４のいずれか１項に記載の誘導加熱装置。
【請求項６】
検知手段は、近接センサを用いて被加熱物の有無を検知する請求項１〜４のいずれか１項に記載の誘導加熱装置。
【請求項７】
検知手段は、被加熱物の有無による照度差に基づいて被加熱物の有無を検知する請求項１〜４のいずれか１項に記載の誘導加熱装置。
【請求項８】
検知手段は、振動検知センサを用いて被加熱物の有無を検知する請求項１〜４のいずれか１項に記載の誘導加熱装置。
【発明の詳細な説明】
【技術分野】
【０００１】
本発明は、トッププレート上の被加熱物を加熱する複数の加熱手段を備えた誘導加熱装置に関するものである。
【背景技術】
【０００２】
従来、この種の加熱装置は、加熱部がトッププレート上の手前側左右と、中央奥側に配しており、これらの加熱部に対応して設けた操作手段によって操作するようにしている（例えば、特許文献１参照）。
【０００３】
図４は、特許文献１に記載された従来の誘導加熱装置の構成図を示すものである。図４に示すように、各々の加熱調理部５４、５５、５６に対応して、操作手段５７、５８、５９を設けて構成されている。
【先行技術文献】
【特許文献】
【０００４】
【特許文献１】特開平１０−２１４６７７号公報
【発明の概要】
【発明が解決しようとする課題】
【０００５】
しかしながら、前記従来の構成では、加熱部の個数に応じて操作部も同じ個数必要となり、加熱部の大きさを制限してしまうという課題を有していた。
【０００６】
本発明は、前記従来の課題を解決するもので、複数の加熱部に対して単一の操作部で加熱調理を行うための条件を入力でき、かつ操作性の良い誘導加熱装置を提供することを目的とする。
【課題を解決するための手段】
【０００７】
前記従来の課題を解決するために、本発明の誘導加熱装置は、被加熱物を載置するトッププレートと、トッププレート上の被加熱物を誘導加熱する複数の加熱手段と、被加熱物の有無を検知し、使用する加熱手段を選定する検知手段と、検知手段で選定した加熱手段で加熱調理を行うための条件を入力する単一の操作手段と、選定された前記加熱手段への高周波電流の供給を制御して加熱制御を行う制御手段とを備えたものである。
【０００８】
これにより、操作手段の数を少なくすることができ、複数の加熱手段のスペースを制限することがなくなるため、設計の自由度を広げることができる。
【発明の効果】
【０００９】
本発明の誘導加熱装置は、複数の加熱部に対して単一の操作部で加熱調理を行うための条件を入力でき、操作性が良く、且つ、複数の加熱手段のスペースを制限することなく確保できる。
【図面の簡単な説明】
【００１０】
【図１】（ａ）本発明の実施の形態１における誘導加熱装置の上面図（ｂ）本発明の実施の形態１における誘導加熱装置の正面図
【図２】本発明の実施の形態１における誘導加熱装置の構成図
【図３】本発明の実施の形態１における誘導加熱装置の操作手段、表示手段の構成図
【図４】従来の誘導加熱装置の構成図
【発明を実施するための形態】
【００１１】
第１の発明は、被加熱物を載置するトッププレートと、トッププレート上の被加熱物を誘導加熱する複数の加熱手段と、被加熱物の有無を検知し、使用する加熱手段を選定する検知手段と、検知手段で選定した加熱手段で加熱調理を行うための条件を入力する単一の操作手段と、選定された前記加熱手段への高周波電流の供給を制御して加熱制御を行う制御手段とを備えたものである。これにより、被加熱物を置いた位置に対応して、加熱調理を行うための操作ができ、複数の加熱手段に対して、単一の操作手段で操作を行うことが可能となるため、操作手段の数を少なくすることができ、操作性が良く、且つ、複数の加熱手段のスペースを制限することなく確保できる。
【００１２】
第２の発明は、特に、第１の発明の使用する加熱手段を任意に選定する選定手段を備えることにより、使用者が自由に加熱手段を選択して操作することが可能となる。
【００１３】
第３の発明は、特に、第１または第２の発明の選定した加熱手段を表示するための表示手段を備えることにより、どの加熱手段が選択されているかが明確になり、操作性を向上することができる。
【００１４】
第４の発明は、特に、第１〜４のいずれか１つの発明の選定した加熱手段に対して、加熱調理を行うために入力された条件を記憶しておく記憶手段を備えたことにより、第１の加熱手段を使用している状態で、第２の加熱手段を選定し使用する場合でも、第１の加熱手段の加熱条件を記憶しておくことで、再度第１の加熱手段を選定して操作を行う時には、第１の加熱手段の加熱状態を表示することが可能となる。
【００１５】
第５の発明は、特に、第１〜４のいずれか１つの発明の検知手段を誘導加熱装置への入力電流と、共振用コンデンサの電圧に基づいて、被加熱物の有無を検知するとしたことにより、精度良く被加熱物の有無を判定することが可能となる。
【００１６】
第６の発明は、特に、第１〜４のいずれか１つの発明の検知手段を近接センサを用いて被加熱物の有無を検知するとしたことにより、精度良く被加熱物の有無を判定することが可能となる。
【００１７】
第７の発明は、特に、第１〜４のいずれか１つの発明の検知手段を被加熱物の有無による照度差に基づいて被加熱物の有無を検知するとしたことにより、精度良く被加熱物の有無を判定することが可能となる。
【００１８】
第８の発明は、特に、第１〜４のいずれか１つの発明の検知手段を振動検知センサを用いて被加熱物の有無を検知するとしたことにより、精度良く被加熱物の有無を判定することが可能となる。
【００１９】
以下、本発明の実施の形態について、図面を参照しながら説明する。なお、この実施の形態によって本発明が限定されるものではない。
【００２０】
（実施の形態１）
図１は、（ａ）本発明の第１の実施の形態における誘導加熱装置の上面図、（ｂ）本発明の第１の実施の形態における誘導加熱装置の正面図を示す。図２は、本発明の第１の実施の形態における誘導加熱装置の構成図である。
【００２１】
図１において、結晶化ガラスなどよりなるトッププレート４０、トッププレート４０上に載置され調理物を加熱調理する鍋あるいはフライパン等の被加熱物４１、加熱調理を行
うための条件を入力する操作手段４２で構成している。
【００２２】
例えば、加熱手段に対して、通電するための加熱入／切キーの他、加熱手段の火力を調節するための火力アップキーや火力ダウンキーなどを配置する。また、入力操作を検知する手段としては、静電容量検知式やタクト式の入力検知式などで入力を検知することができる。
【００２３】
表示手段４３はＬＣＤなどにより選定した加熱手段を表示したり、火力を表示したりするものである。加熱手段４４は誘導加熱によって被加熱物を加熱する誘導加熱コイルを配置している。
【００２４】
図２において、第１の被加熱物４１１、第２の被加熱物４１２、第１の加熱手段４４１、第２の加熱手段４４２で構成している。
【００２５】
記憶手段４５は、選定した加熱手段に対して、加熱調理を行うために入力された条件を記憶しておく。例えば、火力やタイマーの時間などを記憶する。
【００２６】
選定手段４６は、使用者が、使用したい加熱手段を選定することができる。第１の検知手段４７１、第２の検知手段４７２は、被加熱物の有無を検知する。
【００２７】
本実施の形態では、第１の検知手段４７１、第２の検知手段４７２は照度センサを用いて、被加熱物の有無による照度差に基づいて被加熱物を検知する構成としている。
【００２８】
制御手段４８は、第１の加熱手段４４１、第２の加熱手段４４２への高周波電流の供給を制御して加熱制御を行う。また、操作手段４２からの入力を検知し、加熱手段４４への通電を入／切したり、加熱手段の火力を調整したりする。
【００２９】
図３は、本発明の第１の実施の形態における誘導加熱装置の操作手段、表示手段の構成図である。
【００３０】
図３において、操作手段４２、表示手段４３、選定手段４６の構成を示している。さらに、火力を調節するためのキー４２１、４２３、加熱手段に対して通電を入／切するためのキー４２２が配置されている。
【００３１】
表示手段４３には、選定されている被加熱物をＬＥＤの点灯などにより特定できるように表示４３１、また、火力についても表示４３２のように一目でわかるような構成としている。
【００３２】
以上のように構成された誘導加熱装置について、以下その動作、作用を説明する。
【００３３】
まず、第１の被加熱物４１１が第１の加熱手段４４１上に載置された場合、被加熱物が載置されたことで、被加熱物の下は明るい状態から暗い状態となるため、照度差が発生し、第１の検知手段４７１で鍋が載置されたことを検知する。
【００３４】
制御手段４８は第１の検知手段４７１から信号を受け、表示手段４３の表示４３１上に第１の加熱手段４４１上に鍋が載置されたことを表示し、操作を行う対象がわかるように表示を行う。
【００３５】
そして、使用者は、操作手段４２の入／切キー４２２を押下して、制御手段４８は第１の加熱手段４１１への通電を開始し、加熱を開始する。使用者は調理に応じて火力調節キ
ー４２１、４２３を押下し火力調整を行う。
【００３６】
この時の火力は５として表示手段４３の表示４３２に表示されるとする。次に、第２の被加熱物４１２が第２の加熱手段４４２上に載置された場合、第２の検知手段４７２で鍋が載置されたことを検知する。
【００３７】
制御手段４８は第２の検知手段４７２から信号を受け、表示手段４３の表示４３１上に第２の加熱手段４４１上に鍋が載置されたことを表示し、操作を行う対象がわかるように表示を切り換える。
【００３８】
そして使用者は、操作手段４２の入／切キー４２２を押下して、制御手段４８は第２の加熱手段４４２への通電を開始し、加熱を開始する。使用者は調理に応じて火力調節キー４２１、４２３を押下し火力調整を行うことができる。
【００３９】
また、選定手段４６を使用することで、使用者が自由に操作対象を切り換えることができ、更に記憶手段４５に操作対象以外の火力状態などを記憶しておくことで、例えば、操作対象が第２の被加熱物４１２である状態から、操作対象を第１の被加熱物４１１に切り換えた場合、第１の被加熱物の火力５を表示手段４３の表示４３２に表示することができる。
【００４０】
以上のように、本実施の形態においては被加熱物を載置するトッププレート上の被加熱物を誘導加熱する複数の加熱手段と、被加熱物の有無を検知し、使用する加熱手段を選定する検知手段と、検知手段で選定した加熱手段で加熱調理を行うための条件を入力する単一の操作手段と、選定された加熱手段への高周波電流の供給を制御して加熱制御を行う制御手段とを備えたことにより、単一の操作手段で複数の加熱手段の条件を入力することができるため、操作手段の数を少なくすることができ、加熱手段の大きさを制限することがなくなるため、設計の自由度を広げることができる。
【００４１】
また、使用者は被加熱物を所定の位置に載置するだけで、操作対象の被加熱物が切り換わるため、操作性にも優れている。
【００４２】
尚、本実施の形態では、検知手段に照度センサを用いているが、誘導加熱装置への入力電流と、共振用コンデンサの電圧に基づいて、被加熱物の有無を検知したり、近接センサや振動センサを用いても同様の効果が発揮することができる。
【産業上の利用可能性】
【００４３】
以上のように、本発明にかかる誘導加熱装置は、単一の操作部で単一の操作部で加熱調理を行うための条件を入力でき、操作性が良く、かつ複数の加熱手段のスペースを制限することなく確保ができるため、調理容器が複数載置されるトッププレートの上面前側に操作部の少なくとも一部を設ける構成とした加熱装置に有効である。
【符号の説明】
【００４４】
４０  トッププレート
４１  被加熱物
４１１  第１の被加熱物
４１２  第２の被加熱物
４２  操作手段
４３  表示手段
４４  加熱手段
４４１  第１の加熱手段
４４２  第２の加熱手段
４５  記憶手段
４６  選定手段
４７１  第１の検知手段
４７２  第２の検知手段
４８  制御手段
【図１】
2010244824.tif 000003
【図２】
2010244824.tif 000004
【図３】
2010244824.tif 000005
【図４】
2010244824.tif 000006